(57)【特許請求の範囲】
【請求項１】
ユーザ機器（ＵＥ）で、アジマスチャネル状態情報（ＣＳＩ）基準信号（ＣＳＩ−ＲＳ）ポートとエレベーションＣＳＩ−ＲＳポートとを識別する単一のＣＳＩプロセスを構成するフィードバック構成信号を受信することと、
前記ＵＥによって、プリコーディング行列インジケータ（ＰＭＩ）報告を送信することと、ここにおいて、前記ＰＭＩ報告が、少なくとも、前記アジマスＣＳＩ−ＲＳポートに関連する第１のＰＭＩと、前記エレベーションＣＳＩ−ＲＳポートに関連する第２のＰＭＩとを含み、
ここにおいて、前記第１のＰＭＩおよび前記第２のＰＭＩのうちの少なくとも１つが低ランクを割り当てられ、前記ＰＭＩ報告は、前記第１のＰＭＩまたは前記第２のＰＭＩのうちのどちらが前記低ランクを割り当てられるかを示す低ランクインジケータをさらに含む、
前記ＵＥによって、前記アジマスＣＳＩ−ＲＳポートと前記エレベーションＣＳＩ−ＲＳポートとに基づく測定値をもつＣＳＩ報告を送信することとを備える、ワイヤレス通信の方法。
【請求項２】
前記ＰＭＩ報告が、ビットインジケータ、第１のＰＭＩ、および第２のＰＭＩの固定順序に従って配置された、請求項１に記載の方法。
【請求項３】
前記ＣＳＩ報告がランクインジケータ（ＲＩ）とチャネル品質インジケータ（ＣＱＩ）とを含み、ここにおいて、前記ＣＱＩおよび前記ＲＩが、前記第１のＰＭＩと、前記第２のＰＭＩと、前記低ランクインジケータとに基づいて決定される、請求項1または２に記載の方法。
【請求項４】
前記ＵＥによって、前記単一のＣＳＩプロセスを構成する前記フィードバック構成信号に少なくとも部分的に基づいて、前記低ランクインジケータを決定することをさらに含む、請求項１、２、または３に記載の方法。
【請求項５】
ユーザ機器（ＵＥ）で、アジマスチャネル状態情報（ＣＳＩ）基準信号（ＣＳＩ−ＲＳ）ポートとエレベーションＣＳＩ−ＲＳポートとを識別する単一のＣＳＩプロセスを構成するフィードバック構成信号を受信するための手段と、
前記ＵＥによって、プリコーディング行列インジケータ（ＰＭＩ）報告を送信するための手段と、ここにおいて、前記ＰＭＩ報告が、少なくとも、前記アジマスＣＳＩ−ＲＳポートに関連する第１のＰＭＩと、前記エレベーションＣＳＩ−ＲＳポートに関連する第２のＰＭＩとを含み、
ここにおいて、前記第１のＰＭＩおよび前記第２のＰＭＩのうちの少なくとも１つが低ランクを割り当てられ、前記ＰＭＩ報告は、前記第１のＰＭＩまたは前記第２のＰＭＩのうちのどちらが前記低ランクを割り当てられるかを示す低ランクインジケータをさらに含む、
前記ＵＥによって、前記アジマスＣＳＩ−ＲＳポートと前記エレベーションＣＳＩ−ＲＳポートとに基づく測定値をもつＣＳＩ報告を送信するための手段とを備える、ワイヤレス通信の装置。
【請求項６】
前記ＰＭＩ報告が、ビットインジケータ、第１のＰＭＩ、および第２のＰＭＩの固定順序に従って配置された、請求項５に記載の装置。
【請求項７】
前記ＣＳＩ報告がランクインジケータ（ＲＩ）とチャネル品質インジケータ（ＣＱＩ）とを含み、ここにおいて、前記ＣＱＩおよび前記ＲＩが、前記第１のＰＭＩと、前記第２のＰＭＩと、前記低ランクインジケータとに基づいて決定される、請求項５または６に記載の装置。
【請求項８】
前記ＵＥによって、前記単一のＣＳＩプロセスを構成する前記フィードバック構成信号に少なくとも部分的に基づいて、前記低ランクインジケータを決定するための手段をさらに含む、請求項５、６、または７に記載の装置。
【発明の詳細な説明】
【技術分野】
【０００１】
[0001]  本開示の態様は、一般にワイヤレス通信システムに関し、より詳細には、全次元多入力多出力（ＭＩＭＯ）システムのための拡張チャネル状態情報（ＣＳＩ：channel state information）フィードバックに関する。
【背景技術】
【０００２】
[0002]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００３】
[0003]  ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
[0004]  基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００５】
[0005]  モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにも通信技術を進化させる研究および開発が続けられている。
【発明の概要】
【０００６】
[0006]  本開示の一態様によれば、ワイヤレス通信の方法は、ＵＥで、アジマスチャネル状態情報（ＣＳＩ）基準信号（ＣＳＩ−ＲＳ）ポートとエレベーションＣＳＩ−ＲＳポートとを識別する単一のＣＳＩプロセスを構成するフィードバック構成信号を受信することと、ＵＥによって、プリコーディング行列インジケータ（ＰＭＩ：precoding matrix indicator）報告を送信することと、ここにおいて、ＰＭＩ報告が、少なくとも、アジマスＣＳＩ−ＲＳポートに関連する第１のＰＭＩと、エレベーションＣＳＩ−ＲＳポートに関連する第２のＰＭＩとを含み、ここにおいて、第１のＰＭＩおよび第２のＰＭＩのうちの少なくとも１つが低ランクを割り当てられる、ＵＥによって、アジマスＣＳＩ−ＲＳポートとエレベーションＣＳＩ−ＲＳポートとに基づく測定値をもつＣＳＩ報告を送信することとを含む。
【０００７】
[0007]  本開示の別の態様では、ワイヤレス通信の方法は、ＵＥで、単一のＣＳＩプロセスにおける複数のＣＳＩ−ＲＳリソースを構成するフィードバック構成信号を受信することと、ここにおいて、複数のＣＳＩ−ＲＳリソースの各々が、事前構成されたＣＳＩ−ＲＳアンテナ仮想化またはプリコーディング手法に関連する、ＵＥによって、複数のＣＳＩ−ＲＳリソースの各々のためのチャネル測定情報を生成することと、ＵＥによって、複数のＣＳＩ−ＲＳリソースの全てよりも少ないＣＳＩ−ＲＳリソースのサブセットのためのチャネル測定情報を含むＣＳＩ報告を送信することとを含む。
【０００８】
[0008]  本開示の別の態様では、ワイヤレス通信のために構成された装置は、ＵＥで、アジマスＣＳＩ−ＲＳポートとエレベーションＣＳＩ−ＲＳポートとを識別する単一のＣＳＩプロセスを構成するフィードバック構成信号を受信するための手段と、ＵＥによって、ＰＭＩ報告を送信するための手段と、ここにおいて、ＰＭＩ報告が、少なくとも、アジマスＣＳＩ−ＲＳポートに関連する第１のＰＭＩと、エレベーションＣＳＩ−ＲＳポートに関連する第２のＰＭＩとを含み、ここにおいて、第１のＰＭＩおよび第２のＰＭＩのうちの少なくとも１つが低ランクを割り当てられる、ＵＥによって、アジマスＣＳＩ−ＲＳポートとエレベーションＣＳＩ−ＲＳポートとに基づく測定値をもつＣＳＩ報告を送信するための手段とを含む。
【０００９】
[0009]  本開示の別の態様では、装置ワイヤレス通信は、ＵＥで、単一のＣＳＩプロセスにおける複数のＣＳＩ−ＲＳリソースを構成するフィードバック構成信号を受信するための手段と、ここにおいて、複数のＣＳＩ−ＲＳリソースの各々が、事前構成されたＣＳＩ−ＲＳアンテナ仮想化またはプリコーディング手法に関連する、ＵＥによって、複数のＣＳＩ−ＲＳリソースの各々のためのチャネル測定情報を生成するための手段と、ＵＥによって、複数のＣＳＩ−ＲＳリソースの全てよりも少ないＣＳＩ−ＲＳリソースのサブセットのためのチャネル測定情報を含むＣＳＩ報告を送信するための手段とを含む。
【００１０】
[0010]  上記では、以下の発明を実施するための形態がより良く理解され得るように、本出願の特徴および技術的利点についてやや広く概説した。特許請求の範囲の主題を形成する追加の特徴および利点について、以下で説明する。開示する概念および特定の態様が、本出願の同じ目的を果たすための他の構造を変更または設計するための基礎として容易に利用され得ることを、当業者は諒解されたい。また、そのような等価な構成が、本出願および添付の特許請求の範囲の趣旨および範囲から逸脱しないことを、当業者は了解されたい。態様の特性であると考えられる新規の特徴は、それの編成と動作方法の両方に関して、さらなる目的および利点とともに、添付の図に関連して以下の説明を検討するとより良く理解されよう。但し、図の各々は、例示および説明のみの目的で与えたものであり、本特許請求の範囲の限界を定めるものではないことを明確に理解されたい。
【図面の簡単な説明】
【００１１】
【図１】電気通信システムの一例を示すブロック図。
【図２】電気通信システムにおけるダウンリンクフレーム構造の一例を示すブロック図。
【図３】本開示の一態様に従って構成された基地局およびＵＥの設計を示すブロック図。
【図４】例示的な２次元アクティブアンテナアレイのブロック図。
【図５】２次元アクティブアンテナアレイにおける次元ＣＳＩフィードバックのためのエレベーションＣＳＩ−ＲＳおよびアジマスＣＳＩ−ＲＳを示すブロック図。
【図６】プリコーディングされたＣＳＩ−ＲＳを送信する基地局を示すブロック図。
【図７Ａ】本開示の一態様を実施するために実行される例示的なブロックを示すブロック図。
【図７Ｂ】本開示の一態様を実施するために実行される例示的なブロックを示すブロック図。
【図８】本開示の一態様による、拡張次元ＣＳＩフィードバックのために構成された基地局およびＵＥを示すブロック図。
【図９】本開示の一態様に従って構成されたＰＭＩ報告を示すブロック図。
【図１０Ａ】本開示の一態様を実施するために実行される例示的なブロックを示すブロック図。
【図１０Ｂ】本開示の一態様を実施するために実行される例示的なブロックを示すブロック図。
【図１１】プリコーディングされたＣＳＩ−ＲＳフィードバックおよびビーム選択のための拡張ＣＳＩリソース構成に基づくＣＳＩ報告を示すブロック図。
【図１２Ａ】本開示の一態様に従って構成された広帯域ＣＳＩ−ＲＳリソース選択を示すブロック図。
【図１２Ｂ】本開示の一態様に従って構成されたサブバンドＣＳＩ−ＲＳリソース選択を示すブロック図。
【発明を実施するための形態】
【００１２】
[0024]  添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。但し、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１３】
[0025]  本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば同義で使用される。ＣＤＭＡネットワークは、ユニバーサル地上波無線アクセス（ＵＴＲＡ：Universal Terrestrial Radio Access）、ＣＤＭＡ２０００などの無線技術を実施し得る。ＵＴＲＡは、広帯域ＣＤＭＡ（ＷＣＤＭＡ（登録商標））およびＣＤＭＡの他の変形態を含む。ＣＤＭＡ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実施し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実施し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ（登録商標）：Long Term Evolution）およびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明
細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１４】
[0026]  図１に、ＬＴＥネットワークであり得るワイヤレス通信ネットワーク１００を示す。ワイヤレスネットワーク１００は、いくつかのｅＮＢ１１０と他のネットワークエンティティとを含み得る。ｅＮＢは、ＵＥと通信する局であり得、基地局、ノードＢ、アクセスポイント、または他の用語で呼ばれることもある。各ｅＮＢ１１０ａ、１１０ｂ、１１０ｃは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１５】
[0027]  ｅＮＢは、マクロセル、ピコセル、フェムトセル、および／または他のタイプのセルに通信カバレージを与え得る。マクロセルは、比較的大きい地理的エリア（例えば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（例えば、自宅）をカバーし得、フェムトセルとの関連を有するＵＥ（例えば、限定加入者グループ（ＣＳＧ：Closed Subscriber Group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ１１０ｘは、ＵＥ１２０ｘをサービスする、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（例えば、３つの）セルをサポートし得る。
【００１６】
[0028]  ワイヤレスネットワーク１００はまた、中継局１１０ｒを含み得る。中継局は、上流局（例えば、ｅＮＢまたはＵＥ）からデータおよび／または他の情報の送信を受信し、そのデータおよび／または他の情報の送信を下流局（例えば、ＵＥまたはｅＮＢ）に送る局である。中継局はまた、他のＵＥに対する送信を中継するＵＥであり得る。図１に示されている例では、中継局１１０ｒは、ｅＮＢ１１０ａとＵＥ１２０ｒとの間の通信を可能にするために、ｅＮＢ１１０ａおよびＵＥ１２０ｒと通信し得る。中継局は、リレーｅＮＢ、リレーなどと呼ばれることもある。
【００１７】
[0029]  ワイヤレスネットワーク１００は、様々なタイプのｅＮＢ、例えば、マクロｅＮＢ、ピコｅＮＢ、フェムトｅＮＢ、リレーなどを含む異種ネットワークであり得る。これらの様々なタイプのｅＮＢは、様々な送信電力レベル、様々なカバレージエリア、およびワイヤレスネットワーク１００中の干渉に対する様々な影響を有し得る。例えば、マクロｅＮＢは、高い送信電力レベル（例えば、２０ワット）を有し得るが、ピコｅＮＢ、フェムトｅＮＢ、およびリレーは、より低い送信電力レベル（例えば、１ワット）を有し得る。
【００１８】
[0030]  ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００１９】
[0031]  ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、例えば、ワイヤレスバックホールまたはワイヤラインバックホールを介して直接または間接的に互いに通信し得る。
【００２０】
[0032]  ＵＥ１２０は、ワイヤレスネットワーク１００全体にわたって分散され得、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、スマートフォン、タブレット、ワイヤレスローカルループ（ＷＬＬ）局、または他のモバイルエンティティであり得る。ＵＥは、マクロｅＮＢ、ピコｅＮＢ、フェムトｅＮＢ、リレー、または他のネットワークエンティティと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉する送信を示す。
【００２１】
[0033]  ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。例えば、Ｋは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。例えば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２２】
[0034]  図２に、ＬＴＥにおいて使用されるダウンリンクフレーム構造を示す。ダウンリンクの送信タイムラインは無線フレームの単位に区分され得る。各無線フレームは、所定の持続時間（例えば、１０ミリ秒（ｍｓ））を有し得、０〜９のインデックスをもつ１０個のサブフレームに区分され得る。各サブフレームは２つのスロットを含み得る。従って、各無線フレームは、０〜１９のインデックスをもつ２０個のスロットを含み得る。各スロットは、Ｌ個のシンボル期間、例えば、図２に示されているようにノーマルサイクリックプレフィックス（ＣＰ）の場合は７つのシンボル期間、または拡張サイクリックプレフィックスの場合は６つのシンボル期間を含み得る。ノーマルＣＰおよび拡張ＣＰは、本明細書では異なるＣＰタイプとして言及され得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（例えば、１２個のサブキャリア）をカバーし得る。
【００２３】
[0035]  ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、図２に示されているように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ）を送り得る。ＰＢＣＨは、あるシステム情報を搬送し得る。
【００２４】
[0036]  ｅＮＢは、図２の第１のシンボル期間全体において示されているが、各サブフレームの第１のシンボル期間の一部のみの中で物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、ここで、Ｍは、１、２、または３に等しくなり得、サブフレームごとに変化し得る。Ｍはまた、例えば、リソースブロックが１０個未満である、小さいシステム帯域幅では４に等しくなり得る。図２に示されている例では、Ｍ＝３である。ｅＮＢは、各サブフレームの最初のＭ個（図２ではＭ＝３）のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのリソース割振りに関する情報と、ダウンリンクチャネルのための制御情報とを搬送し得る。図２の第１のシンボル期間の中には示されていないが、ＰＤＣＣＨおよびＰＨＩＣＨは、第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅＮＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００２５】
[0037]  ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、全てのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００２６】
[0038]  各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）中に配置され得る。各ＲＥＧは１つのシンボル期間において４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。例えば、ＰＨＩＣＨ用の３つのＲＥＧは、全てシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３２、または６４個のＲＥＧを占有し得る。ＲＥＧのいくつかの組合せのみがＰＤＣＣＨに対して可能にされ得る。
【００２７】
[0039]  ＵＥは、ＰＨＩＣＨおよびＰＣＦＩＣＨのために使用される特定のＲＥＧを知り得る。ＵＥは、ＰＤＣＣＨについてＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００２８】
[0040]  ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００２９】
[0041]  図３に、図１中の基地局／ｅＮＢのうちの１つであり得る基地局／ｅＮＢ１１０および図１中のＵＥのうちの１つであり得るＵＥ１２０の設計のブロック図を示す。制限付き関連付けシナリオの場合、基地局１１０は図１中のマクロｅＮＢ１１０ｃであり得、ＵＥ１２０はＵＥ１２０ｙであり得る。基地局１１０はまた、何らかの他のタイプの基地局であり得る。基地局１１０はアンテナ３３４ａ〜３３４ｔを備え得、ＵＥ１２０はアンテナ３５２ａ〜３５２ｒを備え得る。
【００３０】
[0042]  基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データシンボルと制御シンボルとを取得するために、それぞれデータと制御情報とを処理（例えば、符号化およびシンボルマッピング）し得る。プロセッサ３２０はまた、例えば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（例えば、プリコーディング）を行い得、出力シンボルストリームを変調器（ＭＯＤ）３３２ａ〜３３２ｔに与え得る。各変調器３３２は、出力サンプルストリームを取得するために、（例えば、ＯＦＤＭなどのために）それぞれの出力シンボルストリームを処理し得る。各変調器３３２はさらに、ダウンリンク信号を取得するために、出力サンプルストリームを処理（例えば、アナログへの変換、増幅、フィルタ処理、およびアップコンバート）し得る。変調器３３２ａ〜３３２ｔからのダウンリンク信号は、それぞれアンテナ３３４ａ〜３３４ｔを介して送信され得る。
【００３１】
[0043]  ＵＥ１２０において、アンテナ３５２ａ〜３５２ｒは、基地局１１０からダウンリンク信号を受信し得、受信信号をそれぞれ復調器（ＤＥＭＯＤ）３５４ａ〜３５４ｒに与え得る。各復調器３５４は、入力サンプルを取得するために、それぞれの受信信号を調整（例えば、フィルタ処理、増幅、ダウンコンバート、およびデジタル化）し得る。各復調器３５４はさらに、受信シンボルを取得するために、（例えば、ＯＦＤＭなどのために）入力サンプルを処理し得る。ＭＩＭＯ検出器３５６は、全ての復調器３５４ａ〜３５４ｒから受信シンボルを取得し、適用可能な場合は受信シンボルに対してＭＩＭＯ検出を行い、検出シンボルを与え得る。受信プロセッサ３５８は、検出シンボルを処理（例えば、復調、デインターリーブ、および復号）し、ＵＥ１２０のための復号されたデータをデータシンク３６０に与え、復号された制御情報をコントローラ／プロセッサ３８０に与え得る。
【００３２】
[0044]  アップリンク上では、ＵＥ１２０において、送信プロセッサ３６４が、データソース３６２から（例えば、ＰＵＳＣＨのための）データを受信し、処理し得、コントローラ／プロセッサ３８０から（例えば、ＰＵＣＣＨのための）制御情報を受信し、処理し得る。プロセッサ３６４はまた、基準信号のための基準シンボルを生成し得る。送信プロセッサ３６４からのシンボルは、適用可能な場合はＴＸ  ＭＩＭＯプロセッサ３６６によってプリコーディングされ、さらに（例えば、ＳＣ−ＦＤＭなどのために）復調器３５４ａ〜３５４ｒによって処理され、基地局１１０に送信され得る。基地局１１０で、ＵＥ１２０からのアップリンク信号は、アンテナ３３４によって受信され、復調器３３２によって処理され、適用可能な場合はＭＩＭＯ検出器３３６によって検出され、ＵＥ１２０によって送られた復号されたデータおよび制御情報を取得するために、さらに受信プロセッサ３３８によって処理され得る。プロセッサ３３８は、復号されたデータをデータシンク３３９に与え、復号された制御情報をコントローラ／プロセッサ３４０に与え得る。
【００３３】
[0045]  コントローラ／プロセッサ３４０および３８０は、それぞれ基地局１１０およびＵＥ１２０での動作を指示し得る。基地局１１０でのプロセッサ３４０および／または他のプロセッサおよびモジュールは、本明細書で説明される技法のための様々なプロセスを行うか、またはその実行を指示し得る。ＵＥ１２０でのプロセッサ３８０ならびに／あるいは他のプロセッサおよびモジュールはまた、図７Ａ、図７Ｂ、図１０Ａ、および図１０Ｂに示されている機能ブロック、および／または本明細書で説明される技法のための他のプロセスを行うか、またはその実行を指示し得る。メモリ３４２および３８２は、それぞれ基地局１１０およびＵＥ１２０のためのデータおよびプログラムコードを記憶し得る。スケジューラ３４４は、ダウンリンクおよび／またはアップリンク上でのデータ送信のためにＵＥをスケジューリングし得る。
【００３４】
[0046]  一構成では、ワイヤレス通信のためのＵＥ１２０は、ＵＥの接続モード中に干渉基地局からの干渉を検出するための手段と、干渉基地局の得られたリソースを選択するための手段と、得られたリソース上の物理ダウンリンク制御チャネルの誤り率を取得するための手段と、誤り率が所定のレベルを超えたことに応答して実行可能である、無線リンク障害を宣言するための手段とを含む。一態様では、上述の手段は、上述の手段によって具陳される機能を行うように構成された、（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａであり得る。別の態様では、上述の手段は、上述の手段によって具陳された機能を行うように構成されたモジュールまたは任意の装置であり得る。
【００３５】
[0047]  システム容量を増加させるために、ｅＮＢが、水平軸と垂直軸の両方を有するアンテナポートをもつ多数のアンテナをもつ２次元（２Ｄ）アクティブアンテナアレイを使用し、より多数のトランシーバユニットを有する、全次元（ＦＤ）ＭＩＭＯ技術が検討されている。従来のＭＩＭＯシステムの場合、ビームフォーミングが一般に３Ｄマルチパス伝搬のものであるが、アジマス次元のみを使用して実施している。しかしながら、ＦＤ−ＭＩＭＯの場合、各トランシーバユニットは、それ自体の独立した振幅および位相制御を有する。２Ｄアクティブアンテナアレイとともにそのような能力は、従来のマルチアンテナシステムの場合のように、水平方向においてだけでなく、同時に水平方向と垂直方向の両方においても、送信信号がステアリングされることを可能にし、このことは、ｅＮＢからＵＥへのビーム方向を整形する際によりフレキシビリティを与える。従って、ＦＤ−ＭＩＭＯ技術は、アジマスビームフォーミングとエレベーションビームフォーミングの両方を利用し得、このことは、ＭＩＭＯシステム容量を大幅に改善することになる。
【００３６】
[0048]  図４は、一般的な２Ｄアクティブアンテナアレイ４０を示すブロック図である。アクティブアンテナアレイ４０は、各列が８つの交差偏波垂直アンテナ要素を含む４つの列を備える、６４送信機交差偏波均一平面アンテナアレイ（64-transmitter, cross-polarized uniform planar antenna array）である。アクティブアンテナアレイは、しばしば、アンテナ列の数（Ｎ）、偏波タイプ（Ｐ）、および１つの列中の同じ偏波タイプを有する垂直要素の数（Ｍ）によって表される。従って、アクティブアンテナアレイ４０は、８つの垂直（Ｍ＝８）交差偏波アンテナ要素（Ｐ＝２）をもつ４つの列（Ｎ＝４）を有する。
【００３７】
[0049]  ２Ｄアレイ構造の場合、エレベーションビームフォーミングによる垂直次元を活用するために、チャネル状態情報（ＣＳＩ）が基地局で必要とされる。ＣＳＩは、プリコーディング行列インジケータ（ＰＭＩ）ランクインジケータ（ＲＩ）およびチャネル品質インジケータ（ＣＱＩ）に関して、ダウンリンクチャネル推定と、（１つまたは複数の）あらかじめ定義されたＰＭＩコードブックとに基づいて、移動局によって基地局にフィードバックされ得る。しかしながら、従来のＭＩＭＯシステムとは異なる、ＦＤ−ＭＩＭＯが可能なｅＮＢは、一般に、大規模アンテナシステムを装備しており、従って、ＵＥからのフルアレイＣＳＩの収集は、チャネル推定の複雑さ、および過大なダウンリンクＣＳＩ−ＲＳオーバーヘッドとアップリンクＣＳＩフィードバックオーバーヘッドの両方により極めて難しい。
【００３８】
[0050]  ＦＤ−ＭＩＭＯ  ＣＳＩフィードバック機構のためのソリューションが、大規模２次元アンテナアレイをもつＦＤ−ＭＩＭＯのために提案されている。例えば、次元ＣＳＩフィードバックは、各々がエレベーション方向またはアジマス方向のいずれか上の１Ｄ  ＣＳＩ−ＲＳポート構造をもつ２つのＣＳＩプロセスでＵＥが構成されることを可能にする。図５は、各々が次元ＣＳＩフィードバックのための１次元ＣＳＩ−ＲＳポートをもつ、２つのＣＳＩプロセス構成を示すブロック図である。ＣＳＩプロセスは、エレベーションＣＳＩ−ＲＳポート５００とアジマスＣＳＩ−ＲＳポート５０１の両方について定義されることになる。各構成されたＣＳＩプロセスについてのＣＳＩフィードバックは、１次元チャネル状態情報のみを反映することになる。例えば、１つのＣＳＩフィードバックは、エレベーションＣＳＩ−ＲＳポート５００のＣＳＩのみを反映することになる。サービングｅＮＢ（図示せず）は、次いで、推定されたフルアンテナアレイプリコーディングを取得するために、２つの別個のＣＳＩプロセス間の相関を決定し得る。例えば、ｅＮＢは、フルアンテナアレイプリコーディングのための２つのプリコーディングベクトルを組み合わせるために、クロネッカー積を使用し得る。
【００３９】
[0051]  別の例示的なＣＳＩフィードバック機構は、ビーム選択を用いるプリコーディングされたＣＳＩ−ＲＳを採用する。図６は、ＣＳＩフィードバックのためのプリコーディングされたＣＳＩ−ＲＳを送信するように構成された基地局６００を示すブロック図である。ＵＥグループ＃１および＃２中のＵＥは、基地局６００に関して様々なエレベーションに位置し得る。ビーム選択を用いるプリコーディングされたＣＳＩ−ＲＳでは、多数のアンテナポートをより少数のプリコーディングされたＣＳＩ−ＲＳポートに圧縮するために、ＣＳＩ−ＲＳ仮想化が使用され得る。同じ仮想化またはエレベーションビームフォーミングを用いるＣＳＩ−ＲＳポートは、１つのＣＳＩプロセスに関連し得る。例えば、ＣＳＩ−ＲＳリソース＃１は、同じ仮想化またはエレベーションビームフォーミングを用いるＣＳＩ−ＲＳポートを含み得、第１のＣＳＩプロセスに関連することになるが、ＣＳＩ−ＲＳリソース＃２および＃３は、異なるＣＳＩプロセスにも関連することになる。ＵＥは、各々が異なるＣＳＩ−ＲＳ仮想化を用いる、ＣＳＩフィードバックのための１つまたは複数のＣＳＩプロセスで構成され得る。一例では、ＵＥグループ＃１のＵＥ６０４は、それぞれ、ＣＳＩ−ＲＳリソース＃１、＃２、および＃３に関する測定情報を与えるために、３つのＣＳＩプロセスのために構成されることになる。サービングｅＮＢ、基地局６００は、報告されたＣＳＩフィードバックに基づいて、ＵＥ６０４のための最良のサービングＣＳＩ−ＲＳビームを決定することになる。
【００４０】
[0052]  ＦＤ−ＭＩＭＯ  ＣＳＩフィードバックのための様々な現在のソリューションに伴う、いくつかの問題および課題が存在する。例えば、次元ＣＳＩフィードバックシステムの場合、２つのＣＳＩプロセスを使用する機構は、効率的でなく、追加のシグナリングおよびオーバーヘッドを必要とし得る。アグリゲートされたＣＱＩ報告がそのような次元ＣＳＩフィードバックシステムにおいてサポートされる場合、複数のＣＳＩプロセスをリンクするために、追加のシグナリングが必要とされ得る。さらに、ＰＭＩ／ＲＩのジョイント選択、および複数のＣＳＩプロセスにわたるアグリゲートされたＣＱＩをサポートするために、ＣＱＩ報告プロセスへの変更も必要とされ得る。そのような次元ＣＳＩフィードバックシステムは、ＵＥが、各周期ＣＳＩ報告のための２つの構成されたＣＳＩプロセスのＣＳＩを両方とも報告するので、大きいアップリンクフィードバックオーバーヘッドを生じる。
【００４１】
[0053]  ビーム選択機構を用いる既存のプリコーディングされたＣＳＩ−ＲＳでは、複数のＣＳＩプロセスのための標準的なＣＳＩフィードバック機構が使用され、このことは、ＵＥが、各構成されたＣＳＩプロセスのためのＣＳＩをフィードバックすることを引き起こし得る。言い換えれば、ＵＥは、最良のＣＳＩプロセスのみのためのＣＳＩをフィードバックすることを選択することを可能にされないであろう。ＵＥは、既存の機構の下で、構成されたプロセスの全てのためのＣＳＩをフィードバックすることになる。これは、ＵＥ処理複雑さとアップリンクフィードバックオーバーヘッドの両方を大幅に増加させる。現在、ＣＳＩ−ＲＳリソース構成は、ＲＲＣシグナリングを介して送信した。プリコーディングされたＣＳＩ−ＲＳの場合、各ＣＳＩプロセスは、限られたカバレージを有し得る。ＵＥがセル内で移動するとき、複数のＣＳＩプロセスにわたる頻繁なビーム切替えがあり得る。この場合、ＣＳＩ−ＲＳリソース構成のためのＲＲＣシグナリングは、より多くのシグナリングオーバーヘッドを導入することと、非効率的なシグナリング機構を与えることの両方を行い得る。
【００４２】
[0054]  分散ＥＰＤＣＣＨを使用するシステムでは、ＣＳＩフィードバックは、プリコーディングされないＣＳＩ−ＲＳに基づき得る。従って、そのような場合、プリコーディングされないＣＳＩ−ＲＳを用いる１つの追加のＣＳＩプロセスが、プリコーディングされたＣＳＩ−ＲＳがＦＤ−ＭＩＭＯ  ＣＳＩフィードバックのために使用されるときに構成され得る。プリコーディングされないＣＳＩ−ＲＳを用いるＣＳＩプロセスのこの追加はまた、ＣＳＩ測定およびフィードバックのためのＵＥ処理複雑さを増加させ得る。
【００４３】
[0055]  本開示の様々な態様は、既存のＦＤ−ＭＩＭＯ  ＣＳＩフィードバック機構への改善を与える。例えば、様々な態様は、単一のＣＳＩプロセスを使用することによって次元ＣＳＩフィードバック機構を改善する。次元ＣＳＩフィードバックのために単一のＣＳＩプロセスを使用することは、より効率的である。１つのＣＳＩプロセスの構成は、水平（Ｈ）領域チャネル測定および垂直（Ｖ）領域チャネル測定のためのアジマスＣＳＩ−ＲＳポートとエレベーションＣＳＩ−ＲＳポートの両方を含み得る。単一のＣＳＩプロセスの場合、ＵＥは２つのＰＭＩを報告することになり、一方はアジマスＣＳＩ−ＲＳポートのためのものであり、他方はエレベーションＣＳＩ−ＲＳポートのためのものである。スペクトル効率を最大にするために、２つのＰＭＩが一緒に選択され得る。
【００４４】
[0056]  図７Ａおよび図７Ｂは、本開示の態様を実施するために実行される例示的なブロックを示すブロック図である。図７Ａは、ＵＥによって実行されるブロックを示し、図７Ｂは、ＵＥをサービスする基地局によって実行されるブロックを示す。また図７Ａおよび図７Ｂは、図８に示されている構成要素に関して説明される。図８は、本開示の一態様による、拡張次元ＣＳＩフィードバックのために構成された基地局８００およびＵＥ８０１を示すブロック図である。基地局８００は、エレベーションポートの４つのセットとアジマスポートの８つのセットとを有する２Ｄ−ＭＩＭＯアクティブアンテナアレイ８００−ＡＡＡを含む。ブロック７０３で、基地局８００など、サービング基地局は、２Ｄ−ＭＩＭＯアクティブアンテナアレイ８００−ＡＡＡのアジマスＣＳＩ−ＲＳポートとエレベーションＣＳＩ−ＲＳポートの両方を識別する単一のＣＳＩプロセスを構成するフィードバック構成信号を送信する。ＵＥ８０１など、ＵＥは、ブロック７００で、両方のタイプのＣＳＩ−ＲＳポートをもつ単一のＣＳＩプロセスを構成するフィードバック構成信号を受信する。
【００４５】
[0057]  ブロック７０１において、ＵＥ８０１は、少なくとも、アジマスＣＳＩ−ＲＳポートに関連する第１のＰＭＩと、エレベーションＣＳＩ−ＲＳポートに関連する第２のＰＭＩとを含むＰＭＩ報告を送信する。前記のように、ＵＥ８０１は、スペクトル効率を最大にするために、ＰＭＩを一緒に選択し得る。フルアンテナアレイのための全チャネルプリコーディング行列を決定するために、２つのＰＭＩのうちの少なくとも１つは、基地局８００など、ｅＮＢが、全チャネルプリコーディング行列を決定するために、２つのＰＭＩを組み合わせるための相関プロシージャ（例えば、クロネッカー積など）を使用し得るように、低ランク（例えば、ランク１）に設定されることになる。ＣＱＩ／ＲＩはまた、クロネッカープリコーディングの仮定に基づいて決定され得る。
【００４６】
[0058]  ２つのＰＭＩは、ＵＥの報告モードに応じて広帯域またはサブバンドのいずれかであり、あらかじめ定義された順序（例えば、各サブバンドまたは広帯域について、最初に水平（Ｈ）ＰＭＩ、その後に続いて垂直（Ｖ）ＰＭＩ）に従ってソートされ得る。本開示の様々な態様では、拡張次元ＣＳＩフィードバックのためのサブバンド／広帯域ＰＭＩ報告は、どちらのＰＭＩが低ランクを割り当てられるかを示すために、各サブバンドまたは広帯域報告について１つの追加のビットを使用し得る（例えば、Ｈ−ＰＭＩが低ランクであるとき、ビット値「０」であり、Ｖ−ＰＭＩが低ランクであるとき、値「１」である）。
【００４７】
[0059]  例示的な一態様では、２Ｄ交差偏波（ｘ−ｐｏｌ）アクティブアンテナアレイ、２Ｄ−ＭＩＭＯアクティブアンテナアレイ８００−ＡＡＡ（Ｍ、Ｎ、Ｐ）、Ｐ＝２について考えると、３つの異なる構成が単一のＣＳＩプロセスのために定義され得る、すなわち、構成１は、エレベーション（Ｅ）ＣＳＩ−ＲＳのための同じ偏波をもつＭ個のポートと、アジマス（Ａ）ＣＳＩ−ＲＳのための２＊Ｎ個のｘ−ｐｏｌポートとを定義し、構成２は、Ｅ−ＣＳＩ−ＲＳのための２＊Ｍ個のｘ−ｐｏｌポートと、Ａ−ＣＳＩ−ＲＳのための同じ偏波をもつＮ個のポートとを定義し、構成３は、Ｅ−ＣＳＩ−ＲＳのための２＊Ｍ個のｘ−ｐｏｌポートと、Ａ−ＣＳＩ−ＲＳのための２＊Ｎ個のｘ−ｐｏｌポートとを定義する。単一偏波ＣＳＩ−ＲＳポートが２つの次元のいずれかにおいて構成される場合、その次元のために低ランクが同様に仮定され得る。場合によっては、ＵＥ８０１は、どちらのＰＭＩが低ランクであると仮定されるかを選択的に決定し得る。基地局８００は、どちらのＣＳＩ−ＲＳ構成が、ブロック７０３において送信されるフィードバック構成メッセージ中で使用されるかの識別を含み得る。これらの３つの異なるＣＳＩプロセス構成に応答して、ＵＥ８０１は、以下の２つのフィードバックオプション、すなわち、オプション１、ＵＥ８００は、Ｍ×１個のランク１Ｖ−ＰＭＩと２＊Ｎ×Ｌ個のランクＬ  Ｈ−ＰＭＩとに従って２つのＰＭＩを決定する（ここで、Ｌは、ランク１以上であり得る、他のＰＭＩの追加のランクを表す）、およびオプション２、ＵＥ８０１は、Ｎ×１個のランク１Ｈ−ＰＭＩと２＊Ｍ×Ｌ個のランクＬ  Ｖ−ＰＭＩとに従って２つのＰＭＩを決定する、を有することがある。スペクトル効率最大化基準に基づいて、ＵＥ８０１は、どちらのオプションが、報告のための２つのＰＭＩを選択するために使用され得るかを決定することになり、いくつかの態様では、ブロック７０１においてＰＭＩ報告とともに送信される１ビットインジケータを使用して、基地局８００に選択を示し得る。サブバンドＰＭＩ報告が構成される場合、１ビットインジケータがサブバンドごとに定義され得ることに留意されたい。
【００４８】
[0060]  ブロック７０４において、基地局８００は、少なくとも、アジマスＣＳＩ−ＲＳポートに関連する第１のＰＭＩと、エレベーションＣＳＩ−ＲＳポートに関連する第２のＰＭＩとを含むＰＭＩ報告を受信する。ブロック７０５で、基地局８００は、第１のＰＭＩまたは第２のＰＭＩのうちのどちらが低ランクを割り当てられるかを識別する。述べられたように、ＵＥ８０１から受信されたＰＭＩ報告は、低ランクに割り当てられたＰＭＩを識別する、追加の１ビットインジケータを含み得る。本開示の追加の態様は、ＰＭＩ報告内の低ランクに割り当てられたＰＭＩの固定ロケーションを与え得る。低ランクに割り当てられたＰＭＩを識別するために、様々な機構が使用され得る。ブロック７０６で、基地局８００は、全チャネルプリコーディング行列を取得するために、２つのＰＭＩを組み合わせる。例えば、サービング基地局は、ＵＥ８０１から受信されたＨ−ＰＭＩおよびＶ−ＰＭＩを全チャネル行列に組み合わせるために、クロネッカー積を使用し得る。
【００４９】
[0061]  ブロック７０２において、ＣＳＩプロセスの識別されたＣＳＩ−ＲＳポート上で測定を行った後、ＵＥ８０１は、アジマスポートとエレベーションポートの両方に基づく測定情報をもつＣＳＩ報告を送信する。基地局８００は、次いで、ＵＥ８０１からのＣＳＩ報告を処理する際に、全チャネルプリコーディング行列を使用し得る。
【００５０】
[0062]  本開示の異なる態様の様々な動作例では、低ランクＰＭＩは、垂直領域または水平領域に制限され得る。１つのそのような例では、ランク１の低ランクの場合、ランク１が垂直領域上で制限される場合、垂直ＣＳＩ−ＲＳポートのためのチャネル測定は
【００５１】
【数１】
0006513814.tif 000002
【００５２】
によって示され、水平ＣＳＩ−ＲＳポートのためのチャネル測定はＨHによって示される。ＵＥは、フルチャネルを近似するために、クロネッカー積を使用し得る、例えば、
【００５３】
【数２】
0006513814.tif 000003
【００５４】
。さらに、ＵＥはまた、フルチャネルプリコーディング行列のためにクロネッカー積を使用し得る、例えば、
【００５５】
【数３】
0006513814.tif 000004
【００５６】
。次いで、Ｖ−ＰＭＩ  ｗVおよびＨ−ＰＭＩ  ｗVの選択は、以下によって公式化され得る。
【００５７】
【数４】
0006513814.tif 000005
【００５８】
ここで、
【００５９】
【数５】
0006513814.tif 000006
【００６０】
およびＵHは、ＵＥによるＲＸ重みベクトルである。ランク１が水平領域上で制限される場合、
【００６１】
【数６】
0006513814.tif 000007
【００６２】
、
【００６３】
【数７】
0006513814.tif 000008
【００６４】
および
【００６５】
【数８】
0006513814.tif 000009
【００６６】
である。
【００６７】
[0063]  
[0064]  図９は、本開示の一態様に従って構成された例示的なＰＭＩ報告を示すブロック図である。ＰＭＩ報告はＰＭＩフィールド９０を含む。図示の例に従ってサブバンドＰＭＩまたは広帯域ＰＭＩであり得るＰＭＩ報告は、３つの部分、すなわち、（１）垂直ＰＭＩ値または水平ＰＭＩ値のうちのどちらが低ランクＰＭＩであるかをｅＮＢに識別する、Ｖ−ＰＭＩまたはＨ−ＰＭＩのための１ビット低ランクインジケータ９００と、（２）Ｈ領域プリコーディングベクトルインジケータ（Ｈ−ＰＭＩ）９０１と、（３）Ｖ領域プリコーディングベクトルインジケータ（Ｖ−ＰＭＩ）９０２とを含む。３つのＰＭＩ報告部分の順序は、図９に示されているように固定であり得るか、または３つのＰＭＩ報告部分の何らかの他の組合せであり得る。
【００６８】
[0065]  様々な態様は、プリコーディングされたＣＳＩ−ＲＳのための拡張ＣＳＩリソース構成をも含む。そのような態様は、単一のＣＳＩプロセスにおける複数のＣＳＩ−ＲＳリソース構成を与え得る。例えば、１つのＣＳＩ−ＲＳリソース構成は、特定のＣＳＩ−ＲＳ仮想化またはＣＳＩ−ＲＳビームフォーミングに対応し得る。１つのＣＳＩプロセスにおける複数のＣＳＩ−ＲＳリソース構成は、異なる周波数または時間リソースマッピング、周期性、ＣＳＩ−ＲＳポートの数などを有することがある。ＵＥは、各ＣＳＩ−ＲＳリソース構成について別々にチャネル測定を行い、各ＣＳＩ−ＲＳリソース構成についてＣＳＩを生成することになる。しかしながら、ＵＥは、全ての生成されたＣＳＩをネットワークに報告することを必要とされないであろう。
【００６９】
[0066]  図１０Ａおよび図１０Ｂは、本開示の態様を実施するために実行される例示的なブロックを示すブロック図である。図１０Ａは、ＵＥによって実行されるブロックを示し、図１０Ｂは、ＵＥをサービスする基地局によって実行されるブロックを示す。また図１０Ａおよび図１０Ｂは、図６に示されている構成要素に関して説明される。ブロック１００３で、基地局６００は、単一のＣＳＩプロセスにおける複数のＣＳＩ−ＲＳリソースを構成するフィードバック構成信号を送信する。例えば、基地局６００は、単一のＣＳＩプロセスのためのＣＳＩ−ＲＳリソース＃１、＃２、および＃３の各々を構成し得る。この構成は、フィードバック構成信号中で送信される。ＣＳＩ−ＲＳリソースの各々はまた、そのようなＣＳＩ−ＲＳリソースのためのＣＳＩフィードバックをプリコーディングするために、事前構成されたＣＳＩ−ＲＳアンテナ仮想化またはＵＥのためのプリコーディング手法のいずれかに関連し得る。ブロック１０００で、ＵＥ６０４など、ＵＥは、単一のＣＳＩプロセスのための複数のＣＳＩ−ＲＳ信号を構成するフィードバック構成信号を受信する。
【００７０】
[0067]  ブロック１００１において、ＵＥ６０４は、複数のＣＳＩ−ＲＳリソースの各々のための測定情報を生成する。例えば、ＵＥ６０４は、ＣＳＩ−ＲＳリソース＃１、＃２、および＃３のチャネル状態を測定する。ブロック１００２で、ＵＥ６０４は、識別されたＣＳＩ−ＲＳリソースの総数よりも少ないＣＳＩ−ＲＳリソースのサブセットのための測定情報を送信する。どちらのＣＳＩを報告すべきかを決定するために、様々な機構が使用され得る。例えば、報告すべきＣＳＩの総数が、ネットワークによって構成され得る。そのような例示的な態様では、基地局６００は、ブロック１００４で、ＣＳＩ−ＲＳリソースのサブセットを識別してそれについての測定値を与えるためにＵＥ６０４にリソース識別子を送信する。
【００７１】
[0068]  代替的に、ＣＳＩ報告の選択はＵＥによって決定され得る。例えば、ＵＥ６０４は、ＣＳＩを自律的に報告し得、そこにおいて、ＵＥ６０４は、ＣＳＩ報告のための「最良の」ＣＳＩ−ＲＳリソースを決定する。そのような自律報告の目的で、「最良の」ＣＳＩ−ＲＳリソースは、最大スペクトル効率を生じるリソースであり得る。代替態様では、最良は、最高受信信号強度インジケータ、最低干渉などを含み得る。図６の点とともに示される例では、ＵＥ６０４は、スペクトル効率を最大にする最良のオプションとしてＣＳＩ−ＲＳリソース＃１および＃２を識別し、基地局６００にＣＳＩ−ＲＳリソース＃１および＃２のための測定情報を送信する。ＣＱＩ、ＰＭＩ、ＲＩなどを報告することに加えて、ＵＥは、フィードバック信号中の報告されたＣＳＩに関連するＣＳＩ−ＲＳリソースのインデックスをも報告し得る。従って、ＵＥ６０４は、送信されたＣＳＩ報告をもつＣＳＩ−ＲＳリソース＃１および＃２に対応するインデックス１および２を報告することになる。ＣＳＩ−ＲＳリソースのサブセットの選択がＵＥ制御されるのかネットワーク制御されるのかにかかわらず、ブロック１００５で、基地局６００は、識別されたサブセットのＣＳＩ−ＲＳリソースの各々のための測定情報を含むＣＳＩ報告を受信する。
【００７２】
[0069]  前記のように、既存のプリコーディングされたＣＳＩ−ＲＳフィードバック機構は、ＥＰＤＣＣＨのプリコーディングされないＣＳＩ−ＲＳをサポートしない。そのような分散ＥＰＤＣＣＨをサポートするために、本開示の態様は、プリコーディングされたＣＳＩ−ＲＳリソースとプリコーディングされないＣＳＩ−ＲＳリソースの両方を含む混合ＣＳＩ−ＲＳ構成を定義し得る（説明の目的で、ＣＳＩ−ＲＳリソース＃１および＃３はプリコーディングされ得、ＣＳＩ−ＲＳリソース＃２はプリコーディングされないことがある）。ＣＳＩ−ＲＳがプリコーディングされるか否かを示すために、ＣＳＩ−ＲＳリソース構成における１つの追加のビットが使用され得る。ネットワークは、次いで、プリコーディングされたＣＳＩ−ＲＳポートまたはプリコーディングされないＣＳＩ−ＲＳポートに基づいて、ＣＳＩを報告するようにＵＥをトリガし得る。
【００７３】
[0070]  本開示の追加の態様はまた、ネットワークによって構成される場合、構成されたＣＳＩ−ＲＳリソースのサブセットのための複数のＣＳＩを、非周期ＣＳＩ報告のための１つの報告に多重化し得る。Ｍ個の選択されたＣＳＩ−ＲＳリソース構成の位置は、そのような多重化されたＣＳＩ報告中にも含まれ得る。
【００７４】
[0071]  本開示の別の態様は、ネットワークによって暗黙的に制御される構成されたＣＳＩ−ＲＳリソースのサブセットに関係すべきＣＳＩ報告を与え得る。非周期ＣＳＩ報告のためのそのような態様の適用では、ネットワークは、別のタイプのシグナリングを通して使用すべきＣＳＩ−ＲＳリソースの識別を暗黙的にトリガすることができる。暗黙的トリガリングを実施するそのような態様は、ＣＳＩ報告サブフレームｎと、事前構成された時間領域しきい値Ｋとに基づき得る。例えば、異なるＣＳＩ−ＲＳ仮想化またはビームフォーミングを用いるサブフレーム（ｎ−Ｋ、ｎ−４）間のＣＳＩ−ＲＳリソース構成は、非周期ＣＳＩ報告のために含まれ得る。
【００７５】
[0072]  各々が１つのＣＳＩプロセスにおける異なるＣＳＩ−ＲＳリソース構成に関連する、１つの報告事例における複数の非周期ＣＳＩフィードバックを報告するようにＵＥがトリガされる追加の態様、複数のＡ−ＣＳＩ報告は、ＣＳＩプロセスにおけるＣＳＩ−ＲＳリソース構成のインデックスに基づく順序で配置され得る。そのような場合、ＵＥがＣＳＩ報告中にＣＳＩ−ＲＳリソースインデックスを明示的に含む必要がないことがある。
【００７６】
[0073]  図１１は、本開示の一態様による、複数のプリコーディングされたＣＳＩ−ＲＳポートをもつＣＳＩ構成を示すブロック図である。基地局１１００は、２Ｄ−ＭＩＭＯアクティブアンテナアレイ１１００Ａを含む。ＣＳＩ−ＲＳポートのプリコーディングは、ＵＥ１１０１がＣＳＩフィードバックを与えるための手法を与える。例えば、事前構成されたＣＳＩ−ＲＳポート１１０２および１１０３は、それぞれ、広帯域行列Ｔ1およびＴGを用いてプリコーディングされる。従って、ＣＳＩフィードバックを生成するとき、ＵＥ１１０１は、仮想化されたＣＳＩ−ＲＳポート上にフィードバックを与え得る。全アンテナ行列Ｈについて考えると、ＵＥ１１０１によって決定されたＣＳＩは、代わりに、それぞれ、仮想化された行列ＨＴ1およびＨＴGに基づき得る。ＵＥ１１０１は、次いで、それぞれのＣＳＩフィードバックＰＭＩ1／ＲＩ1（Ｗ1）ＣＱＩ1およびＰＭＩG／ＲＩG（ＷG）ＣＱＩGを生成し得る。
【００７７】
[0074]  ＣＳＩ−ＲＳリソース構成の選択は、サブバンドＣＱＩ／ＰＭＩ報告が構成される場合はサブバンドごとに、または広帯域ＣＱＩ／ＰＭＩが構成される場合は広帯域ベースでのいずれかで行われ得ることに留意されたい。
【００７８】
[0075]  図１２Ａは、本開示の一態様に従って構成された広帯域ＣＳＩ−ＲＳリソース選択を示すブロック図である。図１２Ａは、ＣＳＩ報告のためのＵＥ１２０１による広帯域ベースでのＣＳＩ−ＲＳリソース１２０２選択を示す。ＵＥ１２０１は、別々に各ＣＳＩ−ＲＳリソースのチャネル状態を測定し、ＣＳＩ報告を生成する。図示のように、各リソースは、異なるランクインジケータを有し得る。図１２Ａの点とともに示される例では、ＵＥ１２０１は、最良のオプションとしてＣＳＩ−ＲＳリソース１２０２を識別し、ＣＳＩ−ＲＳリソース１２０２のためのＣＳＩ測定報告情報を基地局１２００に送信する。ＣＳＩ−ＲＳリソース選択は広帯域ベースで行われ、このことは、基地局は、ＵＥ１２０１が周波数領域中の複数のサブバンドを割り当てられるが、同じＣＳＩ−ＲＳリソース関連するＰＭＩを使用してＵＥ１２０１にＰＤＳＣＨを送信することになることを意味する。ＣＳＩ−ＲＳリソース選択はまた、より好都合なＣＳＩ−ＲＳリソースが時間とともに変化し得る時間領域上で適応させられ得る。
【００７９】
[0076]  図１２Ｂは、本開示の一態様に従って構成されたサブバンドＣＳＩ−ＲＳリソース選択を示すブロック図である。図１２Ｂは、ＵＥ１２０１によるＣＳＩ−ＲＳリソース１２０４および１２０５からのサブバンド１２０６〜１２０８のＣＳＩ−ＲＳリソース選択を示す。図１２Ｂの点とともに示される例では、ＵＥ１２０１は、共通ランクインジケータを使用することによって、ＣＳＩ−ＲＳリソース１２０４および１２０５の各々のためのＣＳＩを一緒に決定する。図示のように、ＣＳＩ−ＲＳリソース１２０４および１２０５の各々は、共通ランクインジケータの下で、異なるサブバンドごとのＰＭＩ／ＣＱＩを有し得る。最も好都合なまたは最良のＣＳＩ−ＲＳリソースが、各サブバンドについて識別され得る。図示のようなサブバンド選択は、基地局１２００が、異なるＣＳＩ−ＲＳリソースに関連するサブバンドごとのＰＭＩを用いてＰＤＳＣＨを送信することを可能にする。
【００８０】
[0077]  情報および信号は多種多様な技術および技法のいずれかを使用して表され得ることを、当業者は理解されよう。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８１】
[0078]  図７Ａ、図７Ｂ、図１０Ａ、および図１０Ｂの機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００８２】
[0079]  さらに、本明細書の開示に関して説明した様々な例示的な論理ブロック、モジュール、回路、およびプロセスステップは、電子ハードウェア、コンピュータソフトウェア、または両方の組合せとして実施され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実施されるか、ソフトウェアとして実施されるかは、特定の適用例および全体的なシステムに課される設計制約に依存する。当業者は、説明した機能を特定の適用例ごとに様々な方法で実施し得るが、そのような実施の決定は、本開示の範囲からの逸脱を生じるものと解釈されるべきではない。
【００８３】
[0080]  本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を行うように設計されたそれらの任意の組合せを用いて実施または行われ得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実施され得る。
【００８４】
[0081]  本明細書の開示に関して説明した方法またはプロセスのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００８５】
[0082]  １つまたは複数の例示的な設計では、説明した機能は、ハードウェア、ソフトウェア、ファームウェア、またはそれらの任意の組合せで実施され得る。ソフトウェアで実施される場合、機能は、１つまたは複数の命令またはコードとしてコンピュータ可読媒体上に記憶されるか、あるいはコンピュータ可読媒体を介して送信され得る。コンピュータ可読記憶媒体は、汎用または専用コンピュータによってアクセスされ得る任意の利用可能な媒体であり得る。限定ではなく例として、そのようなコンピュータ可読記憶媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、非一時的接続は、コンピュータ可読媒体の定義内に適切に含まれ得る。例えば、命令が、同軸ケーブル、光ファイバーケーブル、ツイストペア、またはデジタル加入者線（ＤＳＬ）を使用して、ウェブサイト、サーバ、または他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕｅ−ｒａｙディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００８６】
[0083]  特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。例えば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００８７】
[0084]  本開示についての以上の説明は、いかなる当業者も本開示を作成または使用することができるようにするために提供したものである。本開示への様々な変更は当業者には容易に明らかになり、本明細書で定義された一般原理は、本開示の趣旨または範囲から逸脱することなく他の変形形態に適用され得る。従って、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
[Ｃ１]  ユーザ機器（ＵＥ）で、アジマスチャネル状態情報（ＣＳＩ）基準信号（ＣＳＩ−ＲＳ）ポートとエレベーションＣＳＩ−ＲＳポートとを識別する単一のＣＳＩプロセスを構成するフィードバック構成信号を受信することと、
前記ＵＥによって、プリコーディング行列インジケータ（ＰＭＩ）報告を送信することと、ここにおいて、前記ＰＭＩ報告が、少なくとも、前記アジマスＣＳＩ−ＲＳポートに関連する第１のＰＭＩと、前記エレベーションＣＳＩ−ＲＳポートに関連する第２のＰＭＩとを含み、
ここにおいて、前記第１のＰＭＩおよび前記第２のＰＭＩのうちの少なくとも１つが低ランクを割り当てられる、
前記ＵＥによって、前記アジマスＣＳＩ−ＲＳポートと前記エレベーションＣＳＩ−ＲＳポートとに基づく測定値をもつＣＳＩ報告を送信することとを備える、ワイヤレス通信の方法。
[Ｃ２]  前記ＰＭＩ報告は、前記第１のＰＭＩまたは前記第２のＰＭＩのうちのどちらが前記低ランクを割り当てられるかを示す低ランクインジケータをさらに含む、Ｃ１に記載の方法。
[Ｃ３]  前記ＰＭＩ報告が、ビットインジケータ、第１のＰＭＩ、および第２のＰＭＩの固定順序に従って配置された、Ｃ２に記載の方法。
[Ｃ４]  前記ＣＳＩ報告がランクインジケータ（ＲＩ）とチャネル品質インジケータ（ＣＱＩ）とを含み、ここにおいて、前記ＣＱＩおよび前記ＲＩが、前記第１のＰＭＩと、前記第２のＰＭＩと、前記低ランクインジケータとに基づいて決定される、Ｃ２に記載の方法。
[Ｃ５]  前記ＵＥによって、前記単一のＣＳＩプロセスを構成する前記フィードバック構成信号に少なくとも部分的に基づいて、前記第１のＰＭＩおよび前記第２のＰＭＩのための低ランクインジケータを決定することをさらに含み、ここにおいて、前記ＰＭＩ報告が前記低ランクインジケータをさらに含む、Ｃ１に記載の方法。
[Ｃ６]  Ｃ１から５の任意の組合せの方法。
[Ｃ７]  ユーザ機器（ＵＥ）で、単一のチャネル状態情報（ＣＳＩ）プロセスにおける複数のチャネル状態情報基準信号（ＣＳＩ−ＲＳ）リソースを構成するフィードバック構成信号を受信することと、ここにおいて、前記複数のＣＳＩ−ＲＳリソースの各々が、事前構成されたＣＳＩ−ＲＳアンテナ仮想化またはプリコーディング手法のうちの１つに関連する、
前記ＵＥによって、前記複数のＣＳＩ−ＲＳリソースの各々のためのチャネル測定情報を生成することと、
前記ＵＥによって、前記複数のＣＳＩ−ＲＳリソースの全てよりも少ないＣＳＩ−ＲＳリソースのサブセットのための前記チャネル測定情報を含むＣＳＩ報告を送信することとを備える、ワイヤレス通信の方法。
[Ｃ８]  前記ＵＥによって、前記複数のＣＳＩ−ＲＳリソースの各々に関連するスペクトル効率を決定することと、
前記ＵＥによって、前記決定されたスペクトル効率に少なくとも部分的に基づいて、前記チャネル測定情報がそれについて送信される前記サブセットの前記ＣＳＩ−ＲＳリソースの各々を選択することと、
前記ＵＥによって、前記サブセットのために選択された前記ＣＳＩ−ＲＳリソースの各々のためのインデックスの指示を送信することとをさらに含む、Ｃ７に記載の方法。
[Ｃ９]  前記ＵＥによって、非周期ＣＳＩ要求を受信することをさらに含み、ここにおいて、前記非周期ＣＳＩ要求のトリガリングコマンドが、前記サブセットのための前記複数のＣＳＩ−ＲＳリソースのうちの１つまたは複数を識別するリソースインジケータを含む、Ｃ７に記載の方法。
[Ｃ１０]  前記ＵＥによって、前記非周期ＣＳＩ測定値がその中で報告されるべきである報告サブフレームを決定することと、
前記ＵＥによって、前記サブセットの有効なＣＳＩ−ＲＳリソースが、事前構成された時間領域しきい値内にあるかどうかを決定することと、ここにおいて、前記事前構成された時間領域しきい値が、前記報告サブフレームより前のダウンリンクサブフレームのセットを含む、
前記サブセットの前記決定された有効なＣＳＩ−ＲＳリソースのための前記ＣＳＩ報告を測定し、送信することとをさらに含む、Ｃ７に記載の方法。
[Ｃ１１]  ＣＳＩ−ＲＳリソースの前記サブセットのための前記チャネル測定情報が、前記フィードバック構成信号中の前記ＣＳＩ−ＲＳリソースの順序に従って、前記ＣＳＩ報告中で配置された、Ｃ７に記載の方法。
[Ｃ１２]  前記フィードバック構成信号が、プリコーディングされない前記複数のＣＳＩ−ＲＳリソースのうちの０個またはそれ以上のＣＳＩ−ＲＳリソースへのプリコーディングインジケータを含み、ここにおいて、前記複数のうちの残りのＣＳＩ−ＲＳリソースがプリコーディングされる、Ｃ７に記載の方法。
[Ｃ１３]  前記ＵＥで、前記ＣＳＩ−ＲＳリソースがプリコーディングされるのかまたはプリコーディングされないのかのうちの１つに基づいて前記チャネル測定情報を報告するようにとの命令を受信することをさらに含む、Ｃ１２に記載の方法。
[Ｃ１４]  Ｃ７から１３の任意の組合せの方法。
[Ｃ１５]  ユーザ機器（ＵＥ）で、アジマスチャネル状態情報（ＣＳＩ）基準信号（ＣＳＩ−ＲＳ）ポートとエレベーションＣＳＩ−ＲＳポートとを識別する単一のＣＳＩプロセスを構成するフィードバック構成信号を受信するための手段と、
前記ＵＥによって、プリコーディング行列インジケータ（ＰＭＩ）報告を送信するための手段と、ここにおいて、前記ＰＭＩ報告が、少なくとも、前記アジマスＣＳＩ−ＲＳポートに関連する第１のＰＭＩと、前記エレベーションＣＳＩ−ＲＳポートに関連する第２のＰＭＩとを含み、
ここにおいて、前記第１のＰＭＩおよび前記第２のＰＭＩのうちの少なくとも１つが低ランクを割り当てられる、
前記ＵＥによって、前記アジマスＣＳＩ−ＲＳポートと前記エレベーションＣＳＩ−ＲＳポートとに基づく測定値をもつＣＳＩ報告を送信するための手段とを備える、ワイヤレス通信の装置。
[Ｃ１６]  前記ＰＭＩ報告は、前記第１のＰＭＩまたは前記第２のＰＭＩのうちのどちらが前記低ランクを割り当てられるかを示す低ランクインジケータをさらに含む、Ｃ１５に記載の装置。
[Ｃ１７]  前記ＰＭＩ報告が、ビットインジケータ、第１のＰＭＩ、および第２のＰＭＩの固定順序に従って配置された、Ｃ１６に記載の装置。
[Ｃ１８]  前記ＣＳＩ報告がランクインジケータ（ＲＩ）とチャネル品質インジケータ（ＣＱＩ）とを含み、ここにおいて、前記ＣＱＩおよび前記ＲＩが、前記第１のＰＭＩと、前記第２のＰＭＩと、前記低ランクインジケータとに基づいて決定される、Ｃ１６に記載の装置。
[Ｃ１９]  前記ＵＥによって、前記単一のＣＳＩプロセスを構成する前記フィードバック構成信号に少なくとも部分的に基づいて、前記第１のＰＭＩおよび前記第２のＰＭＩのための低ランクインジケータを決定するための手段をさらに含み、ここにおいて、前記ＰＭＩ報告が前記低ランクインジケータをさらに含む、Ｃ１５に記載の装置。
[Ｃ２０]  Ｃ１５から１９の任意の組合せの装置。
[Ｃ２１]  ユーザ機器（ＵＥ）で、単一のチャネル状態情報（ＣＳＩ）プロセスにおける複数のチャネル状態情報基準信号（ＣＳＩ−ＲＳ）リソースを構成するフィードバック構成信号を受信するための手段と、ここにおいて、前記複数のＣＳＩ−ＲＳリソースの各々が、事前構成されたＣＳＩ−ＲＳアンテナ仮想化またはプリコーディング手法のうちの１つに関連する、
前記ＵＥによって、前記複数のＣＳＩ−ＲＳリソースの各々のためのチャネル測定情報を生成するための手段と、
前記ＵＥによって、前記複数のＣＳＩ−ＲＳリソースの全てよりも少ないＣＳＩ−ＲＳリソースのサブセットのための前記チャネル測定情報を含むＣＳＩ報告を送信するための手段とを備える、ワイヤレス通信のために構成された装置。
[Ｃ２２]  前記ＵＥによって、前記複数のＣＳＩ−ＲＳリソースの各々に関連するスペクトル効率を決定するための手段と、
前記ＵＥによって、前記決定されたスペクトル効率に少なくとも部分的に基づいて、前記チャネル測定情報がそれについて送信される前記サブセットの前記ＣＳＩ−ＲＳリソースの各々を選択するための手段と、
前記ＵＥによって、前記サブセットのために選択された前記ＣＳＩ−ＲＳリソースの各々のためのインデックスの指示を送信するための手段とをさらに含む、Ｃ２１に記載の装置。
[Ｃ２３]  前記ＵＥによって、非周期ＣＳＩ要求を受信するための手段をさらに含み、ここにおいて、前記非周期ＣＳＩ要求のトリガリングコマンドが、前記サブセットのための前記複数のＣＳＩ−ＲＳリソースのうちの１つまたは複数を識別するリソースインジケータを含む、Ｃ２１に記載の装置。
[Ｃ２４]  前記ＵＥによって、前記非周期ＣＳＩ測定値がその中で報告されるべきである報告サブフレームを決定するための手段と、
前記ＵＥによって、前記サブセットの有効なＣＳＩ−ＲＳリソースが、事前構成された時間領域しきい値内にあるかどうかを決定するための手段と、ここにおいて、前記事前構成された時間領域しきい値が、前記報告サブフレームより前のダウンリンクサブフレームのセットを含む、
前記サブセットの前記決定された有効なＣＳＩ−ＲＳリソースのための前記ＣＳＩ報告を測定し、送信するための手段とをさらに含む、Ｃ２１に記載の装置。
[Ｃ２５]  ＣＳＩ−ＲＳリソースの前記サブセットのための前記チャネル測定情報が、前記フィードバック構成信号中の前記ＣＳＩ−ＲＳリソースの順序に従って、前記ＣＳＩ報告中で配置された、Ｃ２１に記載の装置。
[Ｃ２６]  前記フィードバック構成信号が、プリコーディングされない前記複数のＣＳＩ−ＲＳリソースのうちの０個またはそれ以上のＣＳＩ−ＲＳリソースへのプリコーディングインジケータを含み、ここにおいて、前記複数のうちの残りのＣＳＩ−ＲＳリソースがプリコーディングされる、Ｃ２１に記載の装置。
[Ｃ２７]  前記ＵＥで、前記ＣＳＩ−ＲＳリソースがプリコーディングされるのかまたはプリコーディングされないのかのうちの１つに基づいて前記チャネル測定情報を報告するようにとの命令を受信するための手段をさらに含む、Ｃ２６に記載の装置。
[Ｃ２８]  Ｃ２１から２７の任意の組合せの装置。
【図１】
0006513814.tif 000010
【図２】
0006513814.tif 000011
【図３】
0006513814.tif 000012
【図４】
0006513814.tif 000013
【図５】
0006513814.tif 000014
【図６】
0006513814.tif 000015
【図７Ａ】
0006513814.tif 000016
【図７Ｂ】
0006513814.tif 000017
【図８】
0006513814.tif 000018
【図９】
0006513814.tif 000019
【図１０Ａ】
0006513814.tif 000020
【図１０Ｂ】
0006513814.tif 000021
【図１１】
0006513814.tif 000022
【図１２Ａ】
0006513814.tif 000023
【図１２Ｂ】
0006513814.tif 000024